(57)【要約】      （修正有）【課題】洗浄機を使用する期間と洗浄機が不要な期間が発生する飲食店などの厨房施設に用いるのに適した卓上洗浄機付き流し台を提案する。【解決手段】卓上洗浄機付き流し台１は、シンク９を備えた流し台本体２の上面に後方にスライドさせて取り外し可能な卓上洗浄機３が搭載されている。卓上洗浄機３が使用される期間においては流し台本体２のシンク９を洗浄液の貯留タンクおよび回収タンクとして機能させることができ、循環ポンプ８によって洗浄液が卓上洗浄機３を経由する循環路に沿って循環し、卓上洗浄機３の洗浄室１１に入れた調理鍋２３などの厨房用具、食器類などが洗浄される。卓上洗浄機３が使用されない期間においては、固定ネジ５７、連結管３６を外して卓上洗浄機３を流し台本体２から取り外すことができる。卓上洗浄機３が取り外された状態では、流し台本体２のシンク９を利用して調理鍋２３などの厨房用具、食器類を手洗いすることができる。【選択図】図１
0003142606.tif 000002
【実用新案登録請求の範囲】
【請求項１】
シンクを備えた流し台と、
卓上洗浄機と、
前記卓上洗浄機を、前記流し台の上面において前記シンクの上を前後方向あるいは左右方向にスライド可能に支持しているスライド式支持機構と、
前記卓上洗浄機をスライドしないように流し台の上面に固定している固定具と、
前記シンクに溜めた洗浄液を前記卓上洗浄機を経由して循環させるための循環路と、
前記循環路に沿って洗浄液を循環させるために前記流し台に搭載された循環ポンプとを有し、
前記循環路の一部は、前記循環ポンプと前記卓上洗浄機の間を連通している着脱可能な連結管によって形成されており、
前記固定具および前記連結管を外した後に前記卓上洗浄機をスライドさせることにより、当該卓上洗浄機を前記流し台から取り外すことが可能となっていることを特徴とする卓上洗浄機付き流し台。
【請求項２】
請求項１に記載の卓上洗浄機付き流し台において、
前記スライド式支持機構は、
前記流し台の上面において一定の間隔で前後に水平に延びる左右のガイドレールと、
前記卓上洗浄機の底面において一定の間隔で前後に水平に延びていると共に、前記ガイドレールにスライド可能な状態で載っている左右のスライド枠と、
前記卓上洗浄機が前方にスライドすると前記流し台の上面の後端に後側から当たり、当該卓上洗浄機の前方へのスライドを阻止可能な前記卓上洗浄機の底面に取り付けたストッパとを備えており、
前記卓上洗浄機を後方にスライドさせることにより、当該卓上洗浄機を前記流し台の上面から後方に取り外すことが可能となっていることを特徴とする卓上洗浄機付き流し台。
【請求項３】
請求項２に記載の卓上洗浄機付き流し台において、
前記卓上洗浄機の左右の側面には、当該卓上洗浄機をスライドさせるために用いる取手が取り付けられていることを特徴とする卓上洗浄機付き流し台。
【請求項４】
請求項１ないし３のうちのいずれかの項に記載の卓上洗浄機付き流し台において、
前記固定具は、前記スライドガイドを前記ガイドレールに固定するためのネジ止め式固定具であることを特徴とする卓上洗浄機付き流し台。
【請求項５】
請求項１ないし４のうちのいずれかの項に記載の卓上洗浄機付き流し台において、
前記循環路は、循環ポンプの吸引口をシンクの底面に形成した供給口に連通させている吸引管と、循環ポンプの吐出口に連結されている吐出管と、卓上洗浄機の洗浄室内に配置した被洗浄物に洗浄液を吹き付けるためのノズルが形成されているノズル管と、吐出管およびノズル管を着脱可能に連結している前記連結管と、前記洗浄室の底部開口とによって形成されており、当該底部開口が前記シンクの真上に位置していることを特徴とする卓上洗浄機付き流し台。
【請求項６】
請求項５に記載の卓上洗浄機付き流し台において、
前記シンクの左右の内側側面の上端縁側の部位には、前後方向に延びる左右の枠が取り付けられており、
前記左右の枠の間に、前方に引き出し可能な引出し式フィルタが取り付けられており、
前記卓上洗浄機の前記洗浄室の底部開口から落下した洗浄液が前記引出し式フィルタを通ってシンクに還流することを特徴とする卓上洗浄機付き流し台。
【請求項７】
請求項５または６に記載の卓上洗浄機付き流し台において、
前記シンクの排出口にはストレーナが着脱可能な状態で取り付けられていることを特徴とする卓上洗浄機を備えた流し台。
【請求項８】
請求項５ないし７のうちのいずれかの項に記載の卓上洗浄機付き流し台において、
前記シンクの底面に形成した排水口には、当該シンク内に溜まる洗浄液の液面高さを規定するオーバーフロー管が着脱可能に取り付けられていることを特徴とする卓上洗浄機付き流し台。
【考案の詳細な説明】
【技術分野】
【０００１】
本考案は、業務用厨房施設に用いられる取り外し可能な卓上洗浄機を備えた流し台に関し、さらに詳しくは、卓上洗浄機を使用する場合には流し台のシンクが洗浄液の貯留タンクおよび回収タンクとして機能し、卓上洗浄機を取り外して使用する場合にはシンクを利用して厨房用具などを手洗い可能な卓上洗浄機を備えた流し台に関する。
【背景技術】
【０００２】
飲食店などの業務用厨房施設として、鍋、釜などの厨房用具、食器類などを手洗いするためのシンクを備えた流し台が使用されている。例えば、カツどん、親子丼などの丼物を提供する飲食店では、それらを調理するための専用の調理鍋が使用され、使用後には、たまご等の具材が焦げ付いた調理鍋が手洗いされている。冬場など、丼物が好まれるシーズンでは大量の注文が発生するので、多数の調理鍋が使用され、それらの洗浄作業も大変である。そこで、厨房施設に洗浄機を設置し、大量に発生した使用済みの調理鍋を自動洗浄することが考えられる。
【０００３】
しかしながら、丼物の注文量は一年を通じて波があり、殆ど丼物が出ない期間においては洗浄機が不要であり、殆ど使用されない。業務用の洗浄機は特許文献１、２に開示の家庭用食器洗浄機とは異なりサイズが大きく設置場所をとる。したがって、洗浄機が使用されない期間が多いと、厨房において大きな設置場所を占めているのみであり、厨房施設の利用効率、対費用効果が悪い。
【特許文献１】特開２００１−３７９号公報
【特許文献２】特開平０９−３０８５３５号公報
【考案の開示】
【考案が解決しようとする課題】
【０００４】
本考案の課題は、このような点に鑑みて、年間を通じて注文量が変動するために洗浄機を使用する期間と洗浄機が不要な期間が発生する飲食店などの厨房施設に用いるのに適した卓上洗浄機付き流し台を提案することにある。
【課題を解決するための手段】
【０００５】
上記の課題を解決するために、本考案の卓上洗浄機付き流し台は、
シンクを備えた流し台と、
卓上洗浄機と、
前記卓上洗浄機を、前記流し台の上面において前記シンクの上を前後方向あるいは左右方向にスライド可能に支持しているスライド式支持機構と、
前記卓上洗浄機をスライドしないように流し台の上面に固定している固定具と、
前記シンクに溜めた洗浄液を前記卓上洗浄機を経由して循環させるための循環路と、
前記循環路に沿って洗浄液を循環させるために前記流し台に搭載された循環ポンプとを有し、
前記循環路の一部は、前記循環ポンプと前記卓上洗浄機の間を連通している着脱可能な連結管によって形成されており、
前記固定具および前記連結管を外した後に前記卓上洗浄機をスライドさせることにより、当該卓上洗浄機を前記流し台の上面から取り外すことが可能となっていることを特徴としている。
【０００６】
本考案の卓上洗浄機付き流し台では、卓上洗浄機が使用される期間においては流し台のシンクが洗浄液の貯留タンクおよび回収タンクとして機能し、循環ポンプによって洗浄液が卓上洗浄機を経由する循環路に沿って循環し、卓上洗浄機の洗浄室に入れた調理鍋などの厨房用具、食器類などが洗浄される。卓上洗浄機が使用されない期間においては、固定具および連結管が外され、卓上洗浄機が流し台から取り外される。卓上洗浄機が取り外された状態では、流し台のシンクを利用して調理鍋などの厨房用具、食器類を手洗いすることができる。よって、洗浄機を設置するための専用のスペースを調理場に確保しておく必要がなく、洗浄機を使用しない期間においては洗浄機設置場所を手洗いによる洗い場としてそのまま利用できる。
【０００７】
ここで、前記スライド式支持機構として、前記流し台の上面において一定の間隔で前後に水平に延びる左右のガイドレールと、前記卓上洗浄機の底面において一定の間隔で前後に水平に延びていると共に、前記ガイドレールにスライド可能な状態で載っている左右のスライド枠と、前記卓上洗浄機が前方にスライドすると前記流し台の上面の後端に後側から当たり、当該卓上洗浄機の前方へのスライドを阻止可能な前記卓上洗浄機の底面に取り付けたストッパとを備え、前記卓上洗浄機を後方にスライドさせることにより、当該卓上洗浄機を前記流し台の上面から後方に取り外すことが可能となっている構成のものを採用することができる。
【０００８】
この構成のスライド式支持機構を備えている場合には、固定具を外した後に、卓上洗浄機を後方にスライドさせるという簡単な作業によって流し台から取り外すことができる。また、流し台の後側から卓上洗浄機をガイドレルールに載せ、ストッパが当たるまで前方にスライドさせるという簡単な作業によって流し台の上面に取り付けることができる。
【０００９】
本考案の卓上洗浄機付き流し台において、前記卓上洗浄機をスライドさせるための取手を左右の側面に取り付けておけば、卓上洗浄機の取り付け、取り外し作業を簡単に行うことができる。
【００１０】
また、前記固定具として、前記スライドガイドを前記ガイドレールに固定するためのねじ止め式固定具を用いることができる。
【００１１】
本考案の卓上洗浄機付き流し台において、前記循環路を、循環ポンプの吸引口をシンクの底面に形成した供給口に連通させている吸引管と、循環ポンプの吐出口に連結されている吐出管と、卓上洗浄機の洗浄室内に配置した被洗浄物に洗浄液を吹き付けるノズルが形成されているノズル管と、吐出管およびノズル管を着脱可能に連結している前記連結管と、前記洗浄室の底部開口とによって形成し、当該底部開口を前記シンクの真上に位置させた構成とすることができる。
【００１２】
シンク内の洗浄液は循環ポンプの吐出口から卓上洗浄機の洗浄室内に配置されているノズル管に供給され、ノズル管の各ノズルから洗浄室内に配置されている被洗浄物に吹き付けられる。被洗浄物に吹き付けられた後の洗浄液は洗浄室の底部開口から流し台のシンクに落下してここに回収される。
【００１３】
本考案の卓上洗浄機付き流し台において、前記シンクの左右の内側側面の上端縁側の部位に、前後方向に延びる左右の枠を取り付け、前記左右の枠の間に、前方に引き出し可能な引出し式フィルタを取り付けておき、前記卓上洗浄機の前記洗浄室の底部開口から落下した洗浄液を前記引出し式フィルタを介してシンクに回収するようにしてもよい。被洗浄物から洗い流された異物が引き出し式フィルタに溜まり、これを引き出すことにより異物を簡単に除去することができる。
【００１４】
本考案の卓上洗浄機付き流し台において、前記シンクの排水口にストレーナが着脱可能な状態で取り付けておくと、異物が除去された後の洗浄液を循環ポンプに吸引させることができる。
【００１５】
本考案の卓上洗浄機付き流し台において、前記シンクの底面に形成した排水口に、当該シンク内に溜まる洗浄液の液面高さを規定するオーバーフロー管を取り付けておくことが望ましい。
【考案の効果】
【００１６】
本考案の卓上洗浄機付き流し台は、卓上洗浄機が使用される期間においては流し台のシンクが洗浄液の貯留タンクおよび回収タンクとして機能させることができ、循環ポンプによって洗浄液が卓上洗浄機を経由する循環路に沿って循環し、卓上洗浄機の洗浄室に入れた調理鍋などの厨房用具、食器類などが洗浄される。卓上洗浄機が使用されない期間においては、固定具および連結管を外して卓上洗浄機を流し台の上面から取り外すことができる。卓上洗浄機が取り外された状態では、流し台のシンクを利用して調理鍋などの厨房用具、食器類を手洗いすることができる。
【００１７】
よって、洗浄機を設置するための専用のスペースを調理場に確保しておく必要がなく、洗浄機を使用しない期間においては洗浄機設置場所を手洗いによる洗い場としてそのまま利用できる。したがって、厨房スペースの利用効率、対費用効率を高めるのに適した卓上洗浄機付き流し台を実現できる。
【考案を実施するための最良の形態】
【００１８】
以下に、図面を参照して、本考案を適用した卓上洗浄機付き流し台の実施の形態を説明する。
【００１９】
図１は本実施の形態に係る卓上洗浄機付き流し台を示す正面図であり、主要な内部構成部分を透視した状態で示してある。図２はその左側面図であり、同じく主要な内部構成部分を透視した状態で示してある。図３はその右側面の上半部分を示す部分右側面図である。
【００２０】
これらの図を参照して説明すると、卓上洗浄機付き流し台１は、下半部分が直方体形状の枠組からなる流し台本体２となっており、この流し台本体２の上面の後側に、当該流し台本体２と同一幅で奥行きが略半分の直方体形状の卓上洗浄機３が搭載されている。流し台本体２は、例えばステンレススチール製の４本の垂直枠４と、これらの垂直枠４の上端を連結している４本の水平連結枠５と、４本の垂直枠４の下端側の部位を連結している４本の水平連結枠６とを備えており、かかる構成の直方体形状の枠組の四周がステンレススチール製の幕板によって覆われ、その下側の水平連結枠６には底板７が取り付けられている。この底板７には洗浄液を循環させるための循環ポンプ８が取り付けられており、循環ポンプ８の上方には、上側の水平連結枠５の間に、ステンレススチール板から形成した上方に開口している一定の深さの矩形のシンク９が取り付けられている。
【００２１】
卓上洗浄機３は、外周面がステンレススチール板によって覆われた天板および左右の側板、並びに背面板によって区画された直方体形状の洗浄室１１を備えており、その底部は開口となっており、その前面開口は上下２枚のステンレススチール板で覆われた開閉扉１２、１３によって封鎖されている。これら開閉扉１２、１３は、下端縁の左右に取り付けた蝶番１４、１５を中心として垂直の閉じ位置から前方に水平に倒れた開き位置まで開けることができる。これらの開閉扉１２、１３の上端縁の側の中央に取り付けた取手１６、１７を回すと、連動して左右のロック用の水平ロッド１８、１９が移動してロックが解除されて開閉扉１２、１３を開けることができ、開閉扉１２、１３を閉じて取っ手１６、１７を元の位置に戻すと、水平ロッド１８，１９が元に位置に移動してロック状態が形成される。
【００２２】
洗浄室１１の内部には、上下の開閉扉１２、１３に対応して、上下２段の洗浄棚２１、２２が水平に取り付けられており、これらの洗浄棚２１、２２には、例えば図示のような形状の円形の調理鍋２３を立てた状態で複数個配置できるようになっている。各洗浄棚２１、２２の上方位置の前方側の部位には水平にノズル管２４、２５が配列されている。各ノズル管２４、２５には一定の間隔で、それらの長さ方向に沿ってノズル２４ａ、２５ａが形成されており、これらのノズル２４ａ、２５ａから洗浄液が洗浄棚２１、２２に載せた調理鍋２３に吹き付けられるようになっている。
【００２３】
ノズル管２４、２５は卓上洗浄機３の左右の側板の間において、それらの中心軸線回りに回転可能な状態で水平に掛け渡されている。また、ノズル管２４、２５の左端部には、卓上洗浄機３の左側の側板の外側位置において当該ノズル管２４、２５の中心から半径方向に延びている腕板２４ｂ、２５ｂが取り付けられており、これらの間が連結ロッド２６によって連結されている。また、上側のノズル管２４の左端部には、当該ノズル管２４の中心から半径方向に延びる揺動板２７が取り付けられている。揺動板２７にはスライド溝２７ａが形成されており、このスライド溝２７ａにはスライド可能な状態でスライドピン２８が貫通している。スライドピン２８は垂直円板２９の外周縁近傍に取り付けられており、垂直円板２９は、卓上洗浄機３の天板上面に取り付けた揺動用モータ３０の出力軸３０ａに同軸状態に固定されている。揺動用モータ３０が回転するとスライドピン２８がモータ中心軸線回りに回転し、スライドピン２８が係合しているスライド溝２７ａが形成されている揺動板２７が、ノズル管２４、２５の中心軸線回りに一定の角度範囲で前後に揺動する。この結果、ノズル管２４、２５も一定の角度範囲でそれらの中心軸線回りに回動し、これらのノズル管２４、２５に形成されている各ノズル２４ａ、２５ａが一定の角度範囲内で前後に首振り運動しながら洗浄液を吹き付けることが可能である。
【００２４】
次に、洗浄液の循環路について説明する。卓上洗浄機３の洗浄液は流し台本体２のシンク９に溜められ、循環ポンプ８によって卓上洗浄機３を経由して循環する。この洗浄液の循環路は、シンク９の前側中央の底面に形成した供給口９ａから下方に延びて循環ポンプ８の吸引口３１に連通している吸引管３２と、循環ポンプ８の吐出口３３に連結されている吐出管３４と、この吐出管３４の先端に着脱可能なジョイント３５を介して連結されている連結管３６と、連結管３６の先端に着脱可能なジョイント３７を介して連結されている洗浄機側連結管３８と、この連結管３８に連通している上下のノズル管２４、２５と、卓上洗浄機３の底部開口３ａから構成されている。吸引管３２、吐出管３４は流し台本体２の側に取り付けられており、上下のノズル管２４、２５に連通している洗浄機側連結管３８は卓上洗浄機３の側に取り付けられている。
【００２５】
この構成の循環路には洗浄液から異物などを除去するための手段が配置されている。まず、シンクの供給口９ａには垂直にストレーナ４１が着脱可能な状態で取り付けられている。また、シンク９の左右の内側側面の上端縁側の部位には、前後方向に延びる左右の枠４２が取り付けられており、左右の枠４２の間に、前方に引き出し可能な引出し式フィルタ４３が取り付けられている。左右の枠４２における前後方向の途中位置においては一定の長さで前後に分断されており、分断位置の前後においては下方に傾斜している。これにより、図２において想像線で示すように、引出し式フィルタ４３を前方に引き出して上方に持ち上げることにより、当該引出し式フィルタ４３をシンク９から取り出すことができるようになっている。
【００２６】
シンク９の底面における左側の端の前側部分には排水口９ｂが形成されており、ここには、垂直にオーバーフロー管４４が着脱可能な状態で取り付けられている。排水口９ｂにはドレン管４５が接続されている。
【００２７】
なお、流し台本体２は直方体形状のものでなくてもよく、シンク９も矩形のものでなくてもよい。また、流し台本体２の枠組の構造も本実施の形態に限定されるものではない。さらに、卓上洗浄機３の形状および内部構造についても本実施の形態に限定されるものではない。
【００２８】
次に、卓上洗浄機３は、スライド式支持機構を介して、前後にスライド可能な状態で流し台本体２の上面に搭載されており、後方にスライドさせることにより流し台本体２から取り外すことが可能となっている。スライド式支持機構は、流し台本体２の上面を規定している左右の矩形断面の水平連結枠５の上面に形成したガイドレール５１と、卓上洗浄機３の底面を規定している左右の側板の前後方向に延びる底側の端面に取り付けた左右のスライド枠５３を備えている。スライド枠５３は、ガイドレール５１にスライド可能な状態で載っている水平板部分５３ａと、この水平板部分５３ａの外側縁から上方に直角に起立している垂直板部分５３ｂと、水平板部分５３ａの内側縁から下方に直角に折れ曲がっている垂直板部分５３ｃとを備えた断面形状をしている。
【００２９】
また、スライド式支持機構は、左右のスライド枠５３の後端において、当該スライド枠５３の水平板部分５３ａの後端に垂直に取り付けられたストッパ板５５を備えている。これらのストッパ板５５は、卓上洗浄機３が前方にスライドすると流し台本体２の左右の水平連結枠５の後端に後側から当たり、当該卓上洗浄機３の前方へのスライドを阻止する。これによって、流し台本体２に対する卓上洗浄機３の取り付け位置が規定されている。
【００３０】
さらに、左右のスライド枠５３は、卓上洗浄機３の前面よりも前方に所定量だけ突出した前端部分５３ｄを備えている。これらの前端部分５３ｄにはネジ穴が形成されており、これらのネジ穴に対応する流し台本体２の左右の水平連結枠の上面の部位にもネジ穴が形成されている。左右のネジ穴に固定ネジ５７を上側からねじ込むことにより、卓上洗浄機３が流し台本体２の上面に固定されている。
【００３１】
また、卓上洗浄機３の左右の側面の下側部位には、卓上洗浄機３をスライドさせる際に用いるための取手５９が取り付けられている。
【００３２】
なお、本実施の形態では、卓上洗浄機３を前後にスライド可能としているが、流し台本体２の上面において左右にスライド可能としてもよい。また、卓上洗浄機３をスライドさせるためのスライド式支持機構は上記の例の限定されるものではない。さらに、卓上洗浄機３をスライドしないように固定するために、固定ネジ以外の固定具を用いることも可能である。
【００３３】
（洗浄時の動作説明）
この構成の卓上洗浄機付き流し台１では、シンク９に洗浄液を供給して溜めると共に、卓上洗浄機３に洗浄対象の調理鍋２３を入れて開閉扉１２，１３を閉じる。そして、循環ポンプ８および揺動用モータ３０を駆動する。循環ポンプ８によってシンク９内の洗浄液が吸引されて卓上洗浄機３の上下のノズル管２４、２５に供給され、これらのノズル管２４、２５の各ノズル２４ａ、２５ａから調理鍋２３に向けて洗浄液が吹き付けられる。また、揺動用モータ３０によって各ノズル管２４、２５は一定の角度範囲内で繰り返し逆向きに回動するので、ノズル２４ａ、２５ａが前後に首振りしながら洗浄液が調理鍋２３の全体に吹き付けられ、調理鍋２３の洗浄が効率良く行われる。吹き付けられた洗浄液は、調理鍋２３から洗い流された異物と共に落下して、下端の底部開口３ａから、その下側の引出し式フィルタ４３を通って異物が除去された後に再びシンク９に回収される。シンク９に回収された洗浄液はストレーナ４１を介して異物が除去された後に循環ポンプ８に吸引され、再び卓上洗浄機３に向けて供給される。このように、シンク９が洗浄液の貯留タンクおよび回収用のタンクとして利用されて洗浄が行われる。
【００３４】
（卓上洗浄機の取り外し、取り付け動作）
卓上洗浄機３を使用しない場合には、洗浄液の循環路を形成している連結管３６を取り外した後に、左右の固定ネジ５７を外す。この結果、卓上洗浄機３は後方にスライド可能になる。左右の取手５９を持って、卓上洗浄機３を後方にスライドさせて、流し台本体２から後方に取り外すことができる。
【００３５】
卓上洗浄機３を取り外した状態では、流し台本体２のシンク９の上端開口が開放状態になる。この状態において、ストレーナ４１を外して供給口９ａに不図示の蓋を被せて封鎖する。また、排水口９ｂに取り付けられているオーバーフロー管４４を取り外す。この状態では、一般的な流し台のシンクと同様に、当該シンクを利用して調理用具、食器類などの手洗いを行うことができる。例えば、不図示の水道蛇口から水をシンクに供給しながら調理用具を洗浄することができる。また、排水口９ｂに蓋を被せて封鎖して水を溜めて調理用具などを洗浄することもできる。
【００３６】
次に、卓上洗浄機３を流し台本体２に取り付ける場合には、卓上洗浄機３の左右の取手５９を持って卓上洗浄機３を持ち上げて、その左右のスライド枠５３を、流し台本体２の後側から左右のガイドレール５１に載せ、前方に押し出せばよい。この結果、卓上洗浄機３が前方にスライドして、ストッパ板５５が流し台本体２の後端に当たるとスライドが止まり、卓上洗浄機３の位置が規定される。この後に、左右の固定ネジ５７を締め付けて、卓上洗浄機３を流し台本体２に固定する。しかる後に、連結管３６を接続して洗浄液の循環路を形成する。また、シンク９の供給口９ａにストレーナ４１を取り付け、排水口９ｂにオーバーフロー管４４を取り付ける。これによって、シンク９を洗浄液の貯留タンクおよび回収タンクとして利用して卓上洗浄機３によって厨房用具などの洗浄を行うことができる。
【図面の簡単な説明】
【００３７】
【図１】本考案の実施の形態に係る卓上洗浄機付き流し台を示す正面図であり、主要な内部構成部分を透視した状態で示してある。
【図２】図１の卓上洗浄機付き流し台の左側面図であり、同じく主要な内部構成部分を透視した状態で示してある。
【図３】図１の卓上洗浄機付き流し台の右側面の上半部分を示す部分右側面図である。
【符号の説明】
【００３８】
１    卓上洗浄機付き流し台
２    流し台本体
３    卓上洗浄機
４    垂直枠
５、６  水平連結枠
７    底板
８    循環ポンプ
９    シンク
９ａ  供給口
９ｂ  排水口
１１  洗浄室
１２、１３  開閉扉
１４、１５  蝶番
１６、１７  取手
１８、１９  水平ロッド
２１、２２  洗浄棚
２３  調理鍋
２４、２５  ノズル管
２４ａ、２５ａ  ノズル
２４ｂ、２５ｂ  腕板
２６  連結ロッド
２７  揺動板
２７ａ  スライド溝
２８  スライドピン
２８  垂直円板
３０  揺動用モータ
３０ａ  出力軸
３１  吸引口
３２  吸引管
３３  吐出口
３４  吐出管
３５、３７  ジョイント
３６  連結管
３８  連結管
４１  ストレーナ
４２  枠
４３  引出し式フィルタ
４４  オーバーフロー管
４５  ドレン管
５１  ガイドレール
５３  スライド枠
５３ａ  水平板部分
５３ｂ、５３ｃ  垂直板部分
５３ｄ  前端部分
５５  ストッパ板
５７  固定ネジ
５９  取手
【図１】
0003142606.tif 000003
【図２】
0003142606.tif 000004
【図３】
0003142606.tif 000005